(57)【要約】【課題】固着具が露出することなく取り付けを行なうことができ、取り付け作業が容易なけらば化粧部材を提供する。【解決手段】けらば１への固着具２の打入で固定される下固定部３が上部に設けられ且つ下端部に下係止部４が設けられた下固定具５。けらば１への固着具２の打入で固定される固定部６が上端部に設けられ且つ下端部に下固定具５の下係止部４に引掛け係止される下係止固定部７が設けられた下化粧板８。けらば１への固着具２の打入で固定される上固定部９が設けられ且つ下端部に上係止部１０が設けられた上固定具１１。水切１２の水切片１３に引掛け係止される上側係止固定部１４が上端部に設けられ且つ下部に上固定具１１の上係止部１０に引掛け係止される下側係止固定部１５が設けられると共に、下化粧板８の固定部６の固着具２の打入箇所の外側に重ねられる覆い部１６が設けられた上化粧板１７。これらを備えたけらば化粧部材に関する。【選択図】図１
2010163777.tif 000002
【特許請求の範囲】
【請求項１】
屋根の妻側端部のけらばにその下端から上端に亘って取り付けられるけらば化粧部材であって、けらばの下部の側面に配設され、けらばの側面への固着具の打入で固定される下固定部が上部に設けられ且つけらばの下面に配置される下端部に下係止部が設けられた下固定具と、下固定具の外側においてけらばの下部の側面に配設され、けらばの側面への固着具の打入で固定される固定部が上端部に設けられ且つ下端部に下固定具の下係止部に引掛け係止される下係止固定部が設けられた下化粧板と、けらばの上部の側面に配設され、けらばへの固着具の打入で固定される上固定部が設けられ且つ下端部に上係止部が設けられた上固定具と、上固定具の外側においてけらばの上部の側面に配設され、けらばの上面に取付けられた水切に設けられた水切片に引掛け係止される上側係止固定部が上端部に設けられ且つ下部に上固定具の上係止部に引掛け係止される下側係止固定部が設けられると共に、下化粧板の固定部の固着具の打入箇所の外側に重ねられる覆い部が設けられた上化粧板とを、備えて成ることを特徴とするけらば化粧部材。
【請求項２】
上固定具は、けらばの長手方向に沿った複数個所に取り付けられるものであることを特徴とする請求項１に記載のけらば化粧部材。
【請求項３】
下化粧板の固定部に対する、上化粧板の覆い部の重ね合わせ位置を、上下方向に調整自在にして成ることを特徴とする請求項１又は２に記載のけらば化粧部材。
【請求項４】
下化粧板、上化粧板、下固定具、上固定具を備えて形成されるけらば化粧部材を用い、屋根の妻側端部のけらばにその下端から上端に亘って下化粧板と上化粧板を取り付けることによって、けらばの化粧施工をするにあたって、下固定具をけらばの下部の側面に配設すると共に、下固定具の上部の下固定部から固着具をけらばの側面に打入することによって、下固定具をけらばに固定し、次に下化粧板の下端部に設けた下係止固定部を上記の下固定具の下端部に設けた下係止部に引掛け係止すると共に、下化粧板の上端部に設けた固定部から固着具をけらばの側面に打入することによって、下固定具の外側においてけらばの下部の側面に下化粧板を取り付け、次に上固定具を下化粧板の上端より上側においてけらばの側面に配設すると共に、上固定具の上固定部から固着具をけらばに打入することによって、上固定具をけらばに固定し、次に、上化粧板に設けた覆い部を下化粧板の固定部の固着具の打入箇所の外側に重ねた状態で、上化粧板に設けた下側係止固定部を上固定具の上係止部に引掛け係止すると共に、上化粧板の上端部に設けた上側係止固定部を、けらばの上面に取り付けられた水切に設けられた水切片に引掛け係止することによって、上固定具の外側においてけらばの上部の側面に上化粧板を取り付けることを特徴とするけらばの化粧施工方法。
【発明の詳細な説明】
【技術分野】
【０００１】
本発明は、屋根のけらばに取り付けて使用されるけらば化粧部材、及びこのけらば化粧部材を用いたけらばの化粧施工方法に関するものである。
【背景技術】
【０００２】
切妻屋根など屋根の妻側端部のけらばには、けらばを化粧するためにけらば化粧板を取り付けることが行なわれている。図８はその一例を示すものであって、けらば１は屋根の野地板２２の妻側端部の下側に破風板２３を取り付けることによって形成されるものであり、けらば化粧板２４をけらば１の側面の下端から上端に亘って取り付けることよって、けらば化粧板２４でけらば１を化粧するようにしてある（特許文献１参照）。尚、図８において１２は野地板２２の上面のけらば側端部の上に取り付けられる水切であり、この水切１２の上面には断面倒Ｌ型の水切片１３が設けてあって、野地板２２の上に葺設した屋根材２５の端部をこの水切片１３内に差し込み、屋根材２５の上を流れる雨水がけらば側端部から流れ落ちることを水切片１３で防ぐようにしたものである。
【０００３】
そしてこのものでは、けらば化粧板２４の下端部に下固定片２９を水平に延設すると共に上端部の背面側に上固定片３０を設けるようにしてあり、破風板２３を包むようにけらば化粧板２４を配設して、下固定片２９から軒部材３１の下面に固着具２を打入すると共に上固定片３０から水切１２の水切片１３に固着具２を打入することによって、けらば化粧板２４を屋根のけらば１に取り付けるようにしてある。
【０００４】
しかしこのものにあって、けらばをきれいに納めることはできるが、１枚のけらば化粧板２４でけらばの側面を下端から上端に亘って覆うようにしているため、けらば１の縦幅寸法に適合したけらば化粧板２４を用いる必要があって、けらば１の縦幅毎に異なる縦幅のけらば化粧板２４を用意しなければならず、部材の種類が増加してコスト的に不利になるおそれがある。しかもケラバ化粧板２４は上下幅が大きくなって重量が重くなるため、屋根という危険を伴なう高所においてけらば化粧板２４を取り付ける作業が困難になるという問題があった。
【０００５】
そこで図９に示すように、けらば化粧板２４を下化粧板８と上化粧板１７に上下２分割して形成することが行なわれている。そして下化粧板８の下端部に下係止屈曲片２７を設けると共に上端部に下重合片５１を設け、また上化粧板１７の上端部に上係止屈曲片２８を設けると共に下端部に上重合片５２を設け、下化粧板８の下係止屈曲片２７を破風板２３の下端に引掛け係止し、また上化粧板１７の上係止屈曲片２８を水切１２の水切り片１３に引掛け係止し、さらに下化粧板８の下重合片５１の外面に上化粧板１７の上重合片５２を重ねると共に、この重合箇所にビスや釘などの固着具２を破風板２３に打入して固定することによって、けらば１の側面を下端から上端に亘って覆うように下化粧板８と上化粧板１７を取り付けるようにしてある。
【先行技術文献】
【特許文献】
【０００６】
【特許文献１】特開２００６−０８９９７３号公報
【発明の概要】
【発明が解決しようとする課題】
【０００７】
上記のように図９に示すものでは、けらば化粧板２４を下化粧板８と上化粧板１７に上下２分割することによって軽量化することができ、取り付けの作業性が向上するものである。また下化粧板８と上化粧板１７の重合片５１，５２の重ね合わせ寸法を調整することによって、上下幅寸法を調整することができ、けらば１の縦幅寸法が変わっても一種類の下化粧板８と上化粧板１７で対処することができるものであり、部材の種類を低減することができるものである。
【０００８】
しかしこの図９のものにあって、固着具２が重合片５１，５２の表面に露出し、けらば化粧板２４の外観が固着具２で損なわれることになり、また固着具２を打入した箇所が雨水の浸入等で汚れ、これによってもけらば化粧板２４の外観が損なわれるおそれがあるという問題があった。
【０００９】
本発明は上記の点に鑑みてなされたものであり、固着具が露出することなく取り付けを行なうことができ、しかも取り付け作業が容易になると共に、けらばの縦幅寸法の変化に容易に対処することができるけらば化粧部材を提供することを目的とし、またこのけらば化粧部材を用いてけらばの化粧を行なうけらばの化粧施工方法を提供することを目的とするものである。
【課題を解決するための手段】
【００１０】
本発明に係るけらば化粧部材は、屋根の妻側端部のけらば１にその下端から上端に亘って取り付けられるけらば化粧部材であって、けらば１の下部の側面に配設され、けらば１の側面への固着具２の打入で固定される下固定部３が上部に設けられ且つけらば１の下面に配置される下端部に下係止部４が設けられた下固定具５と、下固定具５の外側においてけらば１の下部の側面に配設され、けらば１の側面への固着具２の打入で固定される固定部６が上端部に設けられ且つ下端部に下固定具５の下係止部４に引掛け係止される下係止固定部７が設けられた下化粧板８と、けらば１の上部の側面に配設され、けらば１への固着具２の打入で固定される上固定部９が設けられ且つ下端部に上係止部１０が設けられた上固定具１１と、上固定具１１の外側においてけらば１の上部の側面に配設され、けらば１の上面に取付けられた水切１２に設けられた水切片１３に引掛け係止される上側係止固定部１４が上端部に設けられ且つ下部に上固定具１１の上係止部１０に引掛け係止される下側係止固定部１５が設けられると共に、下化粧板８の固定部６の固着具２の打入箇所の外側に重ねられる覆い部１６が設けられた上化粧板１７とを、備えて成ることを特徴とするものである。
【００１１】
この発明によれば、けらば１の側面を下化粧板８と上化粧板１７の上下２部材で化粧することができ、２分割して軽量に形成することができる下化粧板８や上化粧板１７の取付作業が容易になるものであり、また下化粧板８や上化粧板１７の取付位置の調整で、けらばの縦幅寸法の変化に対処することができるものである。しかも、下化粧板８は上部の固定部６に固着具を打入すると共に下端部の下係止固定部７を下固定具５の下係止部４に引掛け係止して取付けられるが、上固定具１１の上係止部１０や水切１２の水切片１３に下側係止固定部１５や上側係止固定部１４を引掛け係止して取り付けられる上化粧板１７の下端部の覆い部１６で、下化粧板８の固定部６に打入した固着具２を隠すことができ、固着具２が露出して外観を損なうことを防ぐことができるものである。
【００１２】
また本発明において、上記の上固定具１１は、けらば１の長手方向に沿った複数個所に取り付けられるものであることを特徴とするものである。
【００１３】
この発明によれば、上固定具１１は長尺ではなくピース物として形成されるものであり、上固定具１１の上係止部１０に上化粧板１７の下側係止固定部１５を引掛け係止する作業が容易になるものである。
【００１４】
また本発明は、下化粧板８の固定部６に対する、上化粧板１７の覆い部１６の重ね合わせ位置を、上下に調整自在にして成ることを特徴とするものである。
【００１５】
この発明によれば、下化粧板８の固定部６に対する上化粧板１７の覆い部１６の重ね合わせ位置を調整することによって、けらば１の上下幅に合わせて下化粧板８や上化粧板１７を取り付けることができるものであり、けらば１の上下幅寸法の変化に容易に対処することができるものである。
【００１６】
また本発明に係るけらばの化粧施工方法は、下化粧板８、上化粧板１７、下固定具５、上固定具１１を備えて形成されるけらば化粧部材を用い、屋根の妻側端部のけらば１にその下端から上端に亘って下化粧板８と上化粧板１７を取り付けることによって、けらば１の化粧施工をするにあたって、下固定具５をけらば１の下部の側面に配設すると共に、下固定具５の上部の下固定部３から固着具２をけらば１の側面に打入することによって、下固定具５をけらば１に固定し、次に下化粧板８の下端部に設けた下係止固定部７を上記の下固定具５の下端部に設けた下係止部４に引掛け係止すると共に、下化粧板８の上端部に設けた固定部６から固着具２をけらば１の側面に打入することによって、下固定具５の外側においてけらば１の下部の側面に下化粧板８を取り付け、次に上固定具１１を下化粧板８の上端より上側においてけらば１の側面に配設すると共に、上固定具１１の上固定部９から固着具２をけらば１に打入することによって、上固定具１１をけらば１に固定し、次に、上化粧板１７の下端部に設けた覆い部１６を下化粧板８の固定部６の固着具２の打入箇所の外側に重ねた状態で、上化粧板１７に設けた下側係止固定部１５を上固定具１１の上係止部１０に引掛け係止すると共に、上化粧板１７の上端部に設けた上側係止固定部１４を、けらば１の上面に取り付けられた水切１２に設けられた水切片１３に引掛け係止することによって、上固定具１１の外側においてけらば１の上部の側面に上化粧板１７を取り付けることを特徴とするものである。
【００１７】
この発明によれば、けらば１の側面を下化粧板８と上化粧板１７の上下２部材で化粧することができるので、２分割して軽量に形成することができる下化粧板８や上化粧板１７の取付作業が容易になるものであり、また下化粧板８や上化粧板１７の取付位置の調整で、けらばの縦幅寸法の変化に対処することができるものである。しかも、下化粧板８は上部の固定部６に固着具を打入すると共に下端部の下係止固定部７を下固定具５の下係止部４に引掛け係止して取付けられるが、上固定具１１の上係止部１０や水切１２の水切片１３に下側係止固定部１５や上側係止固定部１４を引掛け係止して取り付けられる上化粧板１７の下端部の覆い部１６で、下化粧板８の固定部６に打入した固着具２を隠すことができるので、固着具２が露出して外観を損なうことを防ぐことができるものである。
【発明の効果】
【００１８】
本発明によれば、けらば１の側面を下化粧板８と上化粧板１７の上下２部材で化粧することができるので、２分割して軽量に形成することができる下化粧板８や上化粧板１７の取付作業が容易になるものであり、また下化粧板８や上化粧板１７の取付位置の調整で、けらばの縦幅寸法の変化に対処することができるものである。しかも、下化粧板８は上部の固定部６に固着具を打入すると共に下端部の下係止固定部７を下固定具５の下係止部４に引掛け係止して取付けられるが、上固定具１１の上係止部１０や水切１２の水切片１３に下側係止固定部１５や上側係止固定部１４を引掛け係止して取り付けられる上化粧板１７の下端部の覆い部１６で、下化粧板８の固定部６に打入した固着具２を隠すことができるので、固着具２が露出して外観を損なうことを防ぐことができるものである。
【図面の簡単な説明】
【００１９】
【図１】本発明の実施の形態の一例を示す断面図である。
【図２】同上の施工手順を示すものであり、（ａ）（ｂ）は各工程の断面図である。
【図３】同上の施工手順を示すものであり、（ａ）（ｂ）は各工程の断面図である。
【図４】同上に用いる水切の斜視図である。
【図５】同上のけらば化粧部材の一例を示すものであり、（ａ）は下固定具の斜視図、（ｂ）は上固定具の斜視図、（ｃ）は下化粧板の斜視図、（ｄ）は上化粧板の斜視図である。
【図６】本発明の他の実施の形態の一例を示す断面図である。
【図７】同上のけらば化粧部材の一例を示すものであり、（ａ）は下固定具の斜視図、（ｂ）は上固定具の斜視図、（ｃ）は下化粧板の斜視図、（ｄ）は上化粧板の斜視図である。
【図８】従来例の一例を示す断面図である。
【図９】従来例の他例を示す断面図である。
【発明を実施するための形態】
【００２０】
以下、本発明の実施の形態を説明する。
【００２１】
切妻屋根などにおいて、屋根の妻側端部はけらば１として形成されている。図２（ａ）はこのけらば１の一例を示すものであり、野地板２２の妻側端部の下面に破風板２３を取り付けることによって、けらば１が形成されるものである。
【００２２】
また野地板２２の妻側端部の上には、けらば１に沿って水切１２が取り付けてある。水切１２は図４に示すように、固定片１２ａの一側端に水切片１３を断面倒Ｌ字形に屈曲延出して、屋根の中央側へ開口する断面コ字形に形成されるものであり、固定片１２ａから釘やビスなどの固着具を野地板２２に打入することによって固定してある。そして野地板２２の上に葺設される屋根材２５のうち、妻側端部に配置される屋根材２５の端部をこの水切片１３内に差し込むようにしてあり、屋根材２５の上を流れる雨水が屋根の妻側端部から流れ落ちることを水切片１３で防ぐことができるものである。
【００２３】
このように形成される屋根のけらば１の側面を化粧するために用いられる本発明のけらば化粧部材は、下化粧板８、上化粧板１７、下固定具５、上固定具１１を備えて形成されるものである。
【００２４】
図５（ａ）は下固定具５を示すものであり、断面倒Ｌ字形に折曲した本体部３７の上端の屋外側端部に下固定部３を上方へ延出すると共に、本体部３７の下端に屋根中央部側へ向けて水平に下係止部４を延設することによって、全体として断面略Ｌ字形に形成してある。この下固定具５は、金属板の折曲加工品や、樹脂の押出成形品などで、長尺物に形成されるものであり、上下幅は後述の下化粧板８の上下幅より小さい寸法に形成されるものである。
【００２５】
図５（ｂ）は上固定具１１を示すものであり、断面Ｌ字形に折曲した本体部３８の下端の屋外側端部に上係止部１０を下方へ延設すると共に、本体部３８の上端に受け片３９を水平に折曲して設けることによって形成してある。この受け片３９は、３片からなるものであり、両側の受け片３９ａ，３９ａを屋外側へ折曲し、中央の受け片３９ｂを屋根中央部側へ折曲してある。断面Ｌ型の本体部３８は上固定部９となる横片３８ａと縦片３８ｂから形成されるものであり、また上係止部１０の背面（屋外側と反対側の面）の下部にはＬ型断面に形成されるスペーサ片４０が突設してある。この上固定具１１は、金属板の折曲加工品や、樹脂の射出成形品などで、上記の下固定具５や後述する下化粧板８や上化粧板１７より短い短尺寸法のピース物に形成されるものである。また上下幅は後述の上化粧板１７の上下幅より小さい寸法に形成されるものである。
【００２６】
図５（ｃ）は下化粧板８を示すものであり、化粧や補強のために凹凸屈曲模様を長手方向に設けて形成される本体部４１の上端に固定部６を上方へ延設すると共に、本体部４１の下端に屋根中央部側へ水平に屈曲した下横片４２を延設して、全体として断面略Ｌ字形に形成してあり、下横片４２の先端には上側へ折り返し屈曲して下係止固定部７が設けてある。この下化粧板８は、金属板の折曲加工品や、樹脂の押出成形品などで、長尺物に形成されるものである。
【００２７】
図５（ｄ）は上化粧板１７を示すものであり、断面倒Ｌ字形の本体部４３の横片４３ａの屋根中央部側の先端に上側係止固定部１４を設けると共に、縦片４３ｂの下端に下側係止固定部１５を介して覆い部１６を下方へ延出して設けることによって形成されるものであり、全体として断面略倒Ｌ字形に形成してある。上側係止固定部１４は本体部４３の横片４３ａの先端部を屋外側へ向け斜め下方に屈曲して形成されるものであり、上係止固定部１４の先端に屋根中央部側へ向けて斜め下方にガイド片４４が延設してある。また下側係止固定部１５は、本体部４３の縦片４３ｂの下端と覆い部１６の上端の境界部を屋根中央部側へ向けて斜め上方へ凸屈曲することによって形成してある。この上化粧板１７は、金属板の折曲加工品や、樹脂の押出成形品などで、長尺物に形成されるものである。
【００２８】
次に、上記のけらば化粧部材を用いて行なう屋根のけらば１の化粧施工について説明する。けらば１に沿って配置される水切１２は、図２（ａ）に示すように、野地板２２の端部よりやや内側寄りの位置に取り付けてある。そしてまず図２（ｂ）のように、下固定具５をけらば１の下部においてけらば１の側面から下面にかけて配置し、下固定具５の下固定部３を破風板２３の外面に当接させると共に下固定部３から破風板２３に釘やビスなどの固着具２を打入して固定することによって、下固定具５をけらば１に取り付ける。このとき、けらば１を形成する破風板２３の下端面に本体部３７の上面を当接させることによって、位置決めした状態で下固定具５の取り付けを行なうものであり、このように位置決めして下固定具５を取り付けることによって、下固定具５の下端の下係止部４はけらば１の下面から下方へ離れた位置に配置されることになる。
【００２９】
この後、下化粧板８を下固定具５の上に被せた状態でけらば１の側面から下面にかけて配置し、図３（ａ）のように、下化粧板８の下横片４２の先端の下係止固定部７を下固定具５の下係止部４の先端に引掛け係止すると共に、下化粧板８の上端部の固定部６をけらば１の側面となる破風板２３に重ねて、固定部６から固着具２を破風板２３に打入して固定することによって、けらば１に下化粧板８を取り付ける。このとき、下係止部４は上記のようにけらば１の下面から下方へ離れて配置されているので、下係止部４への下係止固定部７の係止の作業が容易になるものである。
【００３０】
次に、上固定具１１をけらば１の上部においてけらば１の側面から上面にかけて配置し、図３（ｂ）のように、本体部３８の横片３８ａである上固定部９をけらば１の上面となる野地板２２の端部に載置して、この上固定部９から野地板２２に固着具２を打入して固定することによって、上固定具１１をけらば１に取り付ける。上固定部９への固着具２の打入は、受け片３９ａ，３９ａ間の隙間の箇所において行なわれるものであり、受け片３９ａ，３９ａ間の隙間を通した工具で固着具２の打入を支障なく行なうことができるものである。このとき、上固定具１１の下部の上係止部１０の背面に突設したスペーサ片４０がけらば１の側面となる破風板２３に当接し、上係止部１０の下端部と破風板２３の間に隙間が形成されるようにしてある。また上固定具１１の本体部３８の縦片３８ｂが水切１２の水切片１３の縦片１３ｂと背中合わせに当接し、受け片３９ｂが水切１２の水切片１３の横片１３ａの上面に重なるようになっている。上固定具１１は短尺物であるので、けらば１の長手方向に沿って複数個所に所定間隔で取付けられるものである。
【００３１】
この後、上化粧板１７を上固定具１１の上に被せた状態でけらば１の側面から上面にかけて配置し、図１のように、上化粧板１７の上側係止固定部１４を水切１２の水切片１３の横片１３ａの先端に引掛け係止すると共に、上化粧板１７の下側係止固定部１５を上固定具１１の上係止部１０の下端に引掛け係止することによって、上化粧板１７をけらば１に取り付ける。このとき、上固定具１１の上係止部１０の下端部とけらば１の側面との間には上記のように隙間が形成されているので、上係止部１０に対する下側係止固定部１５の係止の作業が容易になるものである。また上側係止固定部１４にはガイド片４４が設けてあるので、このガイド片４４の下面を水切１２の水切片１３の先端に滑らせることによって、水切片１３への上側係止固定部１４の係止の作業が容易になるものである。さらに上固定具１１は短尺のピース物に形成され、けらば１に沿った複数個所に取付けられているので、上固定具１１の上係止部１０への上化粧板１７の下側係止固定部１５の係止は、けらば１に沿って一列に並ぶ上固定具１１に対して弾性的にパチッと嵌め込むかたちで、一つずつ順番に行なうようにすればよく、この係止作業がより容易になるものである。
【００３２】
そしてこのように上化粧板１７をけらば１の上部に取り付けると、上化粧板１７の下端部の覆い部１６が下化粧板８の固定部６の外面に重ねられ、固定部６に打入した固着具２が覆い部１６で覆われる。また上固定具１１の上固定部９に打入した固着具２も上化粧板１７の本体部４３で覆われる。
【００３３】
このようにして、図１に示すように、下化粧板８の上端部の固定部６に上化粧板１７の下端部の覆い部１６を重ねて、下化粧板８と上化粧板１７を外観のうえで一体化した状態で、けらば１の側面を下端から上端まで覆うことができ、下化粧板８と上化粧板１７からなるけらば化粧板でけらば１の化粧を行なうことができるものである。また固着具２は上記のように覆われて外部に露出しないので、固着具２で外観を損なうこともないものである。軒天井３５は、上記のように下化粧板８と上化粧板１７の取り付けを行なった後に、けらば１の下側に施工して取り付けられるものであり、軒天板３５のけらば側端部は、下固定具５の本体部３７及び下係止部４で覆って露出しないようにしてある。
【００３４】
また、下化粧板８と上化粧板１７は、下化粧板８の固定部６に上化粧板１７の覆い部１６を重ね合わせて接続されるため、固定部６に対する覆い部１６の重ね合わせ高さを調整することによって、下化粧板８の下端から上化粧板１７の上端までの高さ寸法を変えることができるものである。従って、けらば１の上下の厚み寸法が異なっても、固定部６に対する覆い部１６の重ね合わせ高さを調整することによって、施行現場で容易に対処することができるものである。尚、固着具２の打入位置は、固定部６のできるだけ上部がよいものであり、これにより、高さ調整代を最大限にとることができるものである。
【００３５】
図６は本発明の他の実施の形態を示すものである。この実施の形態では、図７に示す下化粧板８、上化粧板１７、下固定具５、上固定具１１を備えて形成されるけらば化粧部材を用いるものであり、下化粧板８と下固定具５は上記の図５のものと同じである。
【００３６】
上固定具１１は図７（ｂ）に示すように、縦の板材からなる上固定部９の下端に屋外側へスペーサ部４７を屈曲すると共にスペーサ部４７の先端に上係止部１０を下方へ垂下することによって形成されるものであり、上固定部９の上端に屋根中央部側へ屈曲する引掛け部４８が設けてある。この上固定具１１は、金属板の折曲加工品や、樹脂の押出成形品などで、長尺物に形成されるものである。
【００３７】
上化粧板１７は図７（ｄ）に示すように、断面倒Ｌ字形の本体部４３の横片４３ａの屋根中央部側の先端に上側係止固定部１４を設けると共に、本体部４３の縦片４３ｂの下端に下側係止固定部１５を設けて形成されるものであり、この縦片４３ｂが覆い部１６ともなるものである。上側係止固定部１４は本体部４３の横片４３ａの先端部を屋外側へ向け斜め下方に屈曲して形成されるものであり、また下側係止固定部１５は、本体部４３の縦片４３ｂの下端を裏側へ折返し屈曲することによって形成してある。この上化粧板１７は、金属板の折曲加工品や、樹脂の押出成形品などで、長尺物に形成されるものである。
【００３８】
上記の図７に示すけらば化粧部材を用いて行なう屋根のけらば１の化粧施工について説明する。このとき、けらば１に沿って配置される水切１２は、図６に示すように、水切片１３の縦片１３ｂが野地板２２の端縁と一致する位置に取り付けてある。そしてまず上記の図２（ｂ）と同様にしてけらば１の下部に下固定具５を取り付けた後、上記の図３（ａ）と同様にしてけらば１の下部に下化粧板８を取り付ける。
【００３９】
次に、上固定具１１をけらば１の上部においてけらば１の側面に配置し、上端の引掛け部４８を水切１２の水切片１３の上端に引掛けた状態で、上固定部９をけらば１の側面となる破風板２３と水切片１３にあてがい、この上固定部９から破風板２３に固着具２を打入して固定することによって、上固定具１１をけらば１に取り付ける。このとき、上固定具１１の下端部の上係止部１０と破風板２３の間には、スペーサ部４７の寸法分の隙間が形成されている。
【００４０】
この後、上化粧板１７を上固定具１１の上に被せた状態でけらば１の側面から上面にかけて配置し、上化粧板１７の下側係止固定部１５を上固定具１１の上係止部１０の下端に引掛け係止すると共に、上化粧板１７の上側係止固定部１４を水切１２の水切片１３の横片１３ａの先端に引掛けて、折り返して係止することによって、上化粧板１７をけらば１に取り付ける。このとき、上固定具１１の上係止部１０の下端部とけらば１の側面との間には上記のように隙間が形成されているので、上係止部１０に対する下側係止固定部１５の係止の作業が容易になるものである。
【００４１】
そしてこのように上化粧板１７をけらば１の上部に取り付けると、上化粧板１７の覆い部１６が下化粧板８の固定部６の外側に重ねられ、固定部６に打入した固着具２が覆い部１６で覆われる。また上固定具１１の上固定部９に打入した固着具２も上化粧板１７で覆われる。
【００４２】
このようにして、図６に示すように、下化粧板８の上端部の固定部６に上化粧板１７の覆い部１６を重ねて、下化粧板８と上化粧板１７を外観のうえで一体化した状態で、けらば１の側面を下端から上端まで覆うことができ、下化粧板８と上化粧板１７からなるけらば化粧板でけらば１の化粧を行なうことができるものである。また固着具２は上記のように覆われて外部に露出しないので、固着具２で外観を損なうこともないものである。
【符号の説明】
【００４３】
１  けらば
２  固着具
３  下固定部
４  下係止部
５  下固定具
６  固定部
７  下係止固定部
８  下化粧板
９  上固定部
１０  上係止部
１１  上固定具
１２  水切
１３  水切片
１４  上側係止固定部
１５  下側係止固定部
１６  覆い部
１７  上化粧板
【図１】
2010163777.tif 000003
【図２】
2010163777.tif 000004
【図３】
2010163777.tif 000005
【図４】
2010163777.tif 000006
【図５】
2010163777.tif 000007
【図６】
2010163777.tif 000008
【図７】
2010163777.tif 000009
【図８】
2010163777.tif 000010
【図９】
2010163777.tif 000011